(57)【要約】【課題】本発明は生理用ショーツに関し、被着者が歩行や就寝中にショーツが伸縮する場合に、股下片に対する吸収部材の滑り止め機能が優れ、不用意なずれ動き、ねじれ、皺の発生を防止して経血等の吸収性を維持し、また通気性、発汗性が良好でむれやかゆみがなく、ソフトな肌触りで、保温性、強度、耐久性等に優れ、非ウィング形式とウィング付きの双方の吸収部材の着脱が簡便に行える。【解決手段】前身頃片１と、後身頃片２と、股下片４とが接合された生理用ショーツであり、合成繊維糸および／または天然繊維糸のベース組織部編成用糸６にて編成するベース組織部７の片面に、伸縮性と滑り止め性を有する滑り止め組織部編成用糸８を縦編みした滑り止め組織部９を編成した滑り止め組織布１０により股下片の最小幅Ｌと略同幅乃至は小幅Ｌ１の吸収部材装着片１１を、防水布との対向面に滑り止め組織部９を配設し、他面にナプキン１２Ａを取付ける。【選択図】      図１
2004329272.tif 000002
【特許請求の範囲】
【請求項１】
前身頃片と、後身頃片と、両肢を挿入可能なレッグホール間の股下域に配置される小幅の股下片とが前記前身頃片または前記後身頃片に接合され、該股下片の裏面には撥水性素材にて形成される防水布を重合、固定したショーツ形式の生理用ショーツにおいて、合成繊維糸および／または天然繊維糸のベース組織部編成用糸により編成されるベース組織部の片面に、伸縮性と滑り止め性を有する滑り止め組織部編成用糸を所望ウェル、所望コースに縦編みした滑り止め組織部を片面に編成した滑り止め組織布により形成され、前記股下片の最小幅と略同幅乃至は該最小幅よりも小幅をなす吸収部材装着片を前記防水布に対して少なくとも対向面に前記滑り止め組織部を配設し、吸収部材装着片の他面にナプキンを着脱可能に取付けることを特徴とする生理用ショーツ。
【請求項２】
前記吸収部材装着片は、前端部が少なくとも前記股下片の前端部と一緒に前記前身頃片に対して縫着され、左右の側縁部は前記股下片に対して非固定とすることにより吸収部材の左右両側に設けるウィングを左右から裏面側に対向して折り返して収納、固定させる間隙を形成したことを特徴とする請求項１に記載の生理用ショーツ。
【請求項３】
前記吸収部材装着片は、前端部が前記股下片の前端部と一緒に前記前身頃片に対して縫着されるとともに後端部が前記股下片の後端部と一緒に前記後身頃片に対して縫着され、左右の側縁部は前記股下片に対して非固定とすることにより吸収部材の左右両側に設けるウィングを左右から裏面側に対向して折り返して収納、固定させる間隙を形成したことを特徴とする請求項１に記載の生理用ショーツ。
【請求項４】
前記吸収部材装着片は、前端部が前記股下片の前端部と一緒に前記前身頃片に対して縫着されるとともに後端部が前記後身頃片の胴部開口部にまで延長する前記防水布の後端部近くに縫着され、左右の側縁部は前記股下片に対して非固定とすることにより吸収部材の左右両側に設けるウィングを左右から裏面側に対向して折り返して収納、固定させる間隙を形成したことを特徴とする請求項１に記載の生理用ショーツ。
【請求項５】
前記吸収部材装着片は、長手方向よりも幅方向の伸縮性が大きく形成されることを特徴とする請求項１，請求項２，請求項３，請求項４の何れかに記載の生理用ショーツ。
【請求項６】
前記ベース組織部編成用糸の糸が、非弾性糸で２２〜５６（ＤＴ）であるのに対して滑り止め組織部編成用糸の糸が、弾性糸で４４〜４７０（ＤＴ）であることを特徴とする請求項１，請求項２，請求項３，請求項４，請求項５の何れかに記載の生理用ショーツ。
【請求項７】
前記ベース組織部編成用糸と滑り止め組織部編成用糸とにより編まれる滑り止め組織布よりなる吸収部材装着片のベース組織部編成用糸に対する滑り止め組織部編成用糸の混率が、５０〜８０重量％であることを特徴する請求項１，請求項２，請求項３，請求項４，請求項５，請求項６の何れかに記載の生理用ショーツ。
【請求項８】
前記ベース組織部編成用縦糸は、ポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１または２種の組み合わせにより形成されることを特徴とする請求項１，請求項２，請求項３，請求項４，請求項５，請求項６，請求項７の何れかに記載の生理用ショーツ。
【請求項９】
滑り止め組織部編成用糸は、ポリウレタン・フィラメント、または合成繊維糸に天然ゴムまたは合成ゴム等のゴムをデッピングしたものやゴムをコーティングするもの、さらにはゴム紐単体の何れかが用いられることを特徴とする請求項１，請求項２，請求項３，請求項４，請求項５，請求項６，請求項７，請求項８の何れかに記載の生理用ショーツ。
【請求項１０】
前記滑り止め組織布は、前記吸収部材装着片を形成するのに用いるほか、該滑り止め組織布の一面側に編成される滑り止め組織部を表面側にしてショーツの前身頃片または後身頃片の適宜個所に配設したことを特徴とする請求項１，請求項２，請求項３，請求項４，請求項５，請求項６，請求項７，請求項８，請求項９の何れかに記載の生理用ショーツ。
【発明の詳細な説明】
【０００１】
【発明の属する技術分野】
本発明は生理用ショーツに関し、ナプキン等の吸収部材に対する滑り止め機能と優れた保持性により不用意なずれ動き等を防止して所定位置での装着性を発揮するとともに洩れ出しを防止し、また通気性、発汗性が良好でむれやかゆみを生ぜず、しかもソフトな肌触りで軽量であり、さらには保温性、回復性、強度、耐久性を良好にするものである。
【０００２】
【従来の技術】
従来、例えば女性が用いる生理用ショーツ、病人、老人、幼児等が用いる下履きには、例えば、前身頃片と、後身頃片と、両肢を挿入可能なレッグホール間の股下域に配置される小幅の股下片とが前身頃片または後身頃片に接合され、該股下片の裏面には生理用のナプキンやパッド等の吸収部材の外縁部を係脱可能に係入するポケット状をなして該吸収部材により吸収される経血等の体液の洩れ出しによるショーツ等の汚れを防止するために撥水性素材にて形成される防水布を内面に重合、固定したパンツ形式のものがある（例えば特許文献１参照。）。
【０００３】
また、ナプキンやパッドには、外縁部にウィングを設けていない非ウィング形式のものと、ナプキン等の外縁部にウィングを対向して設けることにより、このウィングをパンツの股下片に対して左右から裏面側に対向して折り返し、ウィングの裏面に設けた粘着部によりパッドを固定するウィング付き形式のものがあった（例えば特許文献２参照。）。
【０００４】
【特許文献１】
実開昭５９−２８５０３号公報（第１−第９頁、図１−図９）
【特許文献２】
特開２００２−２５７４１号公報（第１頁、［請求項７］、［００１０］、図１）
【０００５】
【発明が解決しようとする課題】
しかしながら、特許文献１に記載の上記従来の生理用のパンツは、ナプキンやパッド等の吸収部材の外縁部を股下部の内面に設けたポケット状部に係脱可能に係入させて吸収部材をパンツの股下部に装着するので、例えば女性が生理時に装用したり、または病人や老人が装用することにより歩行したり、動いたり、また就寝中に寝返りを行う等するのに伴い吸収部材がパンツの股下片に対してずれ動いたり、ねじれを生じたり、皺ができたり、さらにはまるまり易く、吸収部材の吸収性に支障を来していた。
また、吸収部材は、パンツ（生理用ショーツ）自体が、歩行したり、運動する等によって伸縮するのに追従して身体に対してパンツの伸縮に追従して一体に移動してしまう。このため、ナプキンやパッド等の吸収部材による経血や排尿等の吸収が不充分になり、しかも経血等がパンツの外部に洩れ出てパンツを汚す等の不都合を生ずることがあった。
また、特許文献１に記載の上記従来の生理用のパンツは、ナプキン等の吸収部材の外縁部を股下部の内面に設けたポケット状部に係脱可能に係入させて吸収部材をパンツの股下部に装着するものなので、ナプキン等の吸収部材の外縁部にウィングを対向して設けたウィング付き形式の吸収部材を股下部に装着するのにはウィングが邪魔になり、取付には適さなかった。
【０００６】
本発明は上記従来の不都合を解決し、被着者が歩行したり、動いたりするのに止まらずに就寝中においてショーツ自体が伸縮する場合でも、ショーツの股下片に対する吸収部材の滑り止め機能と保持性が優れて所定位置での装着性が良好になり、以て吸収部材が不用意にずれ動いたり、またねじれ、皺の発生を確実に防止して吸収部材への経血等の体液の吸収性を充分になし、体液の洩れ出しを防止して清潔度を維持し、また通気性、発汗性が良好でむれやかゆみを生ずることなく、またソフトで肌触りが良好で軽量であり、しかも保温性、回復性、強度、耐久性に優れ、さらには非ウィング形式およびウィング付き形式の双方の吸収部材を簡単かつ確実に着脱が行え、取り扱いも簡便な生理用ショーツを提供することを目的とする。
【０００７】
【課題を解決するための手段】
本発明は上記従来の欠点を解決し、請求項１に記載の発明は、前身頃片と、後身頃片と、両肢を挿入可能なレッグホール間の股下域に配置される小幅の股下片とが前記前身頃片または前記後身頃片に接合され、該股下片の裏面には撥水性素材にて形成される防水布を重合、固定したショーツ形式の生理用ショーツにおいて、合成繊維糸および／または天然繊維糸のベース組織部編成用糸により編成されるベース組織部の片面に、伸縮性と滑り止め性を有する滑り止め組織部編成用糸を所望ウェル、所望コースに縦編みした滑り止め組織部を片面に編成した滑り止め組織布により形成され、前記股下片の最小幅と略同幅乃至は該最小幅よりも小幅をなす吸収部材装着片を前記防水布に対して少なくとも対向面に前記滑り止め組織部を配設し、吸収部材装着片の他面にナプキンを着脱可能に取付けることを特徴とするという手段を採用した。
【０００８】
また、本発明の請求項２に記載の発明は、請求項１において、前記吸収部材装着片は、前端部が少なくとも前記股下片の前端部と一緒に前記前身頃片に対して縫着され、左右の側縁部は前記股下片に対して非固定とすることにより吸収部材の左右両側に設けるウィングを左右から裏面側に対向して折り返して収納、固定させる間隙を形成したことを特徴とするという手段を採用した。
【０００９】
また、本発明の請求項３に記載の発明は、請求項１において、前記吸収部材装着片は、前端部が前記股下片の前端部と一緒に前記前身頃片に対して縫着されるとともに後端部が前記股下片の後端部と一緒に前記後身頃片に対して縫着され、左右の側縁部は前記股下片に対して非固定とすることにより吸収部材の左右両側に設けるウィングを左右から裏面側に対向して折り返して収納、固定させる間隙を形成したことを特徴とするという手段を採用した。
【００１０】
また、本発明の請求項４に記載の発明は、請求項１において、前記吸収部材装着片は、前端部が前記股下片の前端部と一緒に前記前身頃片に対して縫着されるとともに後端部が前記後身頃片の胴部開口部にまで延長する前記防水布の後端部近くに縫着され、左右の側縁部は前記股下片に対して非固定とすることにより吸収部材の左右両側に設けるウィングを左右から裏面側に対向して折り返して収納、固定させる間隙を形成したことを特徴とするという手段を採用した。
【００１１】
また、本発明の請求項５に記載の発明は、請求項１，請求項２，請求項３，請求項４の何れかにおいて、前記吸収部材装着片は、長手方向よりも幅方向の伸縮性が大きく形成されることを特徴とするという手段を採用した。
【００１２】
また、本発明の請求項６に記載の発明は、請求項１，請求項２，請求項３，請求項４，請求項５の何れかにおいて、前記ベース組織部編成用糸の糸が、非弾性糸で２２〜５６（ＤＴ）であるのに対して滑り止め組織部編成用糸の糸が、弾性糸で４４〜４７０（ＤＴ）であることを特徴とするという手段を採用した。
【００１３】
また、本発明の請求項７に記載の発明は、請求項１，請求項２，請求項３，請求項４，請求項５，請求項６の何れかにおいて、前記ベース組織部編成用糸と滑り止め組織部編成用糸とにより編まれる滑り止め組織布よりなる吸収部材装着片のベース組織部編成用糸に対する滑り止め組織部編成用糸の混率が、５０〜８０重量％であることを特徴するという手段を採用した。
【００１４】
また、本発明の請求項８に記載の発明は、請求項１，請求項２，請求項３，請求項４，請求項５，請求項６，請求項７の何れかにおいて、前記ベース組織部編成用糸は、ポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１または２種の組み合わせにより形成されることを特徴とするという手段を採用した。
【００１５】
また、本発明の請求項９に記載の発明は、請求項１，請求項２，請求項３，請求項４，請求項５，請求項６，請求項７，請求項８の何れかにおいて、滑り止め組織部編成用糸は、ポリウレタン・フィラメント、または合成繊維糸に天然ゴムまたは合成ゴム等のゴムをデッピングしたものやゴムをコーティングするもの、さらにはゴム紐単体の何れかが用いられることを特徴とするという手段を採用した。
【００１６】
また、本発明の請求項１０に記載の発明は、請求項１，請求項２，請求項３，請求項４，請求項５，請求項６，請求項７，請求項８，請求項９の何れかにおいて、前記滑り止め組織布は、前記吸収部材装着片を形成するのに用いるほか、該滑り止め組織布の一面側に編成される滑り止め組織部を表面側にしてショーツの前身頃片または後身頃片の適宜個所に配設したことを特徴とするという手段を採用した。
【００１７】
【発明の実施の形態】
以下、図面に従って本発明の実施の形態の具体例を説明する。
図１は本発明の生理用ショーツの第１実施形態を示す正面図、図２は同じく背面図、図３は同じく斜視図、図４は同じく右側面図、図５は本実施形態を構成する股下片と、吸収部材装着片と、吸収部材との配置関係を示す斜視図、図６は本実施形態に用いる滑り止め組織布を示す組織図、図７はウィング付きの吸収部材としてのナプキンを示す一部切欠拡大平面図、図８はその縦拡大断面図、図９は非ウィング形式の吸収部材としてのナプキンを示す一部切欠拡大平面図である。
【００１８】
図１、図２、図３において、前身頃片１と、後身頃片２と、両肢を挿入可能なレッグホール３Ａ，３Ｂ間の股下域に配置される小幅の股下片４とが前記前身頃片１または前記後身頃片２に接合され、該股下片４の裏面には撥水性素材にて形成される防水布５を裏面側に重合、固定したショーツ形式の生理用ショーツである。
また、前記防水布５は、天然繊維、半合成繊維、合成繊維等の生地に、例えばポリアクロニトリル樹脂、シリコーン系樹脂、フッ素系樹脂等の合成樹脂をラミネート、またはコーティング、デッピング等により附与した生地、または前記合成樹脂のシートを用いる点は従来の生理用のショーツ（パンツ）と同様の構成、作用である。
【００１９】
しかしながら、本実施形態の生理用ショーツでは、例えば図１、図２、図３、図６に示すように、合成繊維糸および／または天然繊維糸のベース組織部編成用糸６，６・・・により編成されるベース組織部７の片面に、伸縮性と滑り止め性を有する滑り止め組織部編成用糸８，８・・・をウェル方向Ｕに所望ウェル、コース方向Ｃに所望コースに縦編機を用いて縦編みした滑り止め組織部９を片面に編成した滑り止め組織布１０により吸収部材装着片１１は形成される。
このように、縦編機によりベース組織部７の片面に編成され滑り止め組織部９は、例えば図６に代表的に示すような６コースアトラスのアトラス模様を組み合わして編成する図中想像線で囲まれる線全体が菱形をなし、表面側に長い線分にて配向されて線状に露呈される編目組織柄Ｇ１や交叉する編目組織柄Ｇ２が形成されるほか、図には示さないが、６コースハーフ・ネットの全体形状が２つの略五角形を背中合わせに組み合わした編目組織柄、パワー・ネット模様、縦ゴム編、メッシュ編、トリスキン編、トリコット編、サテン編等の組織柄である。
そして、この吸収部材装着片１１は、前記股下片４の最小幅Ｌと略同幅乃至は該最小幅Ｌよりも小幅Ｌ１をなし、前記防水布５に対して少なくとも対向面に前記滑り止め組織部９を配設し、しかも吸収部材装着片１１の他面にナプキン１２Ａ等の吸収部材１２を着脱可能に取付ける。
【００２０】
こうして、吸収部材装着片１１のベース組織部７の片面に滑り止め組織部編成用糸８，８  ・・・により編成した滑り止め組織部９を股下片４の裏面に重合、固定した防水布５に対向して配置したことにより、吸収部材装着片１１にナプキン１２Ａ等の吸収部材１２を装着した生理用ショーツの装用時に、被着者が歩行したり、動いたりするのに止まらず、また就寝中においても生理用ショーツ自体が伸縮する場合でも、股下片４に対する吸収部材装着片１１の滑り止め機能を充分に発揮させて吸収部材装着片１１に着脱可能に取付けた吸収部材１２を所定位置に維持するのと、吸収部材装着片１１自体の伸縮性による優れた保持性により吸収部材１２自体を確実に保持して身体に密着して所定位置に装着する等の良好な装着性を確保することができる。
この結果、吸収部材１２が不用意に前後方向Ｆ、左右方向Ｒにずれ動いたり、またはねじれを生じたり、皺が発生するのを防止して経血等の体液をナプキン１２Ａ等の吸収部材１２に充分かつ確実に吸収する優れた吸収性を発揮し、体液の洩れ出しを確実に防止して汚れがなく清潔度を維持するためである。
【００２１】
そして、前記前身頃片１および前記後身頃片２は、例えば通気性、発汗性、保温性を発揮するような伸縮布Ｓにより形成される。この前身頃片１と後身頃片２の伸縮性は、被着者の下肢に生理用ショーツを密着して装用するのと、着脱を容易にするために、図示する実施形態では身丈方向Ｘの伸縮性よりも身幅方向Ｙの伸縮性が大きい伸縮布Ｓが用いられる。
【００２２】
しかも、図示する実施形態では、前身頃片１と後身頃片２とが前述のようにともに伸縮性を発揮する伸縮布Ｓを用いるが、図には示さないが、前身頃片１と後身頃片２の何れか一方、例えば運動量や伸縮量が大きい後身頃片２のみに伸縮布Ｓを使用し、前身頃片１は一部、例えば中央部や下腹部に不伸縮布の単層物を他片に接合したものを用いても良いし、或いは伸縮布Ｓと不伸縮布との複層のものを後身頃片２に接合したものを用いてもよい。また、前身頃片１と、後身頃片２と、下股片４との接合手段としては、図示する実施形態では、縫着しているが、このほかに高周波法や超音波法により融着したり、接着剤を用いて接着することにより接合してもよい。
【００２３】
また、前記吸収部材装着片１１は、本実施形態では、図１、図２に示すように前端部１１ａが前記股下片４の前端部４ａと一緒に前記前身頃片１に対して縫着されるとともに後端部１１ｂが前記股下片４の後端部４ｂと一緒に前記後身頃片２に対して縫着される。しかも、吸収部材装着片１１の左右の側縁部１１ｃ，１１ｄは、前記股下片４に非固定となすことにより吸収部材１２の左右両側に設けるウィング１２ａ，１２ａを左右から吸収部材装着片１１の裏面側に対向して折り返して収納、固定させる間隙Ｋ，Ｋを股下片４との間に形成している。
【００２４】
また、吸収部材装着片１１の大きさ、および生理用ショーツの組付時の前記前身頃片１、後身頃片２、股下片４に対する配置について本実施形態では、吸収部材装着片１１自体の大きさは、例えば幅Ｌ１が７ｃｍ程度、長さが１５〜１８ｃｍの平面略矩形ないしは左右の側縁に円弧状のくり部を有する平面略臼状に形成されるが、この吸収部材装着片１１の外形状は代表的な例示であり、図示するものに限らない。そして、吸収部材装着片１１は、前述のように股下片４の最小幅Ｌと略同幅乃至は該最小幅Ｌよりも小幅Ｌ１に形成されることにより、吸収部材１２の経血等の体液の吸収性を有効に行うのと、吸収部材１２を吸収部材装着片１１に装着した時に股下片４から吸収部材１２が外部に露見する等の外観的な不体裁を防止するようにしている。
【００２５】
また、生理用ショーツの組付時における前身頃片１の上方の胴部開口部１３から股下片４の前端部４ａまでの設置高さｈは、本実施形態では１０ｃｍ程度であり、しかも、組付時における後身頃片２の上方の胴部開口１３から股下片４の後端部４ｂまでの設置高さｈ′は、本実施形態では１８〜２０ｃｍ程度である。このように、股下片４の前身頃片１および後身頃片２に対する配置を特定するのは、股下片４の前身頃片１および後身頃片２に対する組み付け作業を可能な限り一緒に行うことにより製作時での裁断作業、組付時の接合作業の効率化をはかるのと、防水布５が裏面側に重合、固定された股下片４により吸収部材装着片１１、および該吸収部材装着片１１に装着される吸収部材１２を外部から覆う状態で吸収部材１２を装着者の身体の所定位置に密着して保持して経血等の体液の吸収性をはかるのと、体液の洩れ出しをなくすためである。
【００２６】
また、前記吸収部材装着片１１は、合成繊維糸および／または天然繊維糸のベース組織部編成用糸６，６・・・により編成されるベース組織部７の片面に、前述のように伸縮性と滑り止め性を有する滑り止め組織部編成用糸８，８・・・をウェル方向Ｕに所望ウェル、コース方向Ｃに所望コースに縦編みした所望の編目組織柄Ｇ１，Ｇ２をなす滑り止め組織部９を表面または裏面の片面に編成した滑り止め組織布１０により形成されるが、このうち、前記ベース組織部編成用糸６，６・・・は、例えばポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１または２種の組み合わせが使用される。
【００２７】
また、滑り止め組織部編成用縦糸８，８・・・は、例えばポリウレタン・フィラメント、または合成繊維糸に天然ゴムまたは合成ゴム等のゴムをデッピングしたものやゴムをコーティングするもの、さらにはゴム紐単体の何れかが用いられ、伸縮性と滑り止め性とが同時に発揮される。
【００２８】
そして、前記ベース組織部編成用糸６，６・・・の糸が、非弾性糸で２２〜５６（ＤＴ）であるのに対して滑り止め組織部編成用糸８，８・・・の糸が、弾性糸で４４〜４７０（ＤＴ）である。
しかも、前記ベース組織部編成用糸６，６・・・と滑り止め組織部編成用糸８，８・・・とにより編まれる滑り止め組織布１０よりなる吸収部材装着片１１のベース組織部編成用縦糸６，６・・・に対する滑り止め組織部編成用糸８，８・・・の混率が、５０〜８０重量％である。
【００２９】
このように、吸収部材装着片１１に用いる滑り止め組織部編成用糸８，８・・・の糸径を、ベース組織部編成用糸６，６・・・の糸径よりも太くしたのは、１枚の滑り止め組織布１０の一面（例えば肌に密着する表面側）は、生地本来の風合い、例えば肌触わり、滑らかさ、しなやかさ、光沢などを発揮するとともに、滑り止め組織布１０の生地自体の厚さが薄く軽量であり、充分な強度を発揮するが、この滑り止め組織布１０の他面（前述のように股下片４の防水布５に対向する裏面側）に所望ウェル、所望コースに縦編みした滑り止め組織部９を編成した滑り止め組織布１０の滑り止め組織部編成用糸８，８・・・が形成する編目組織柄Ｇ１，Ｇ２により前後方向Ｆおよび左右方向Ｒに充分な滑り止め機能を発揮するためである。
【００３０】
そして、ベース組織部編成用糸６，６・・・と滑り止め組織部編成用糸８，８・・・とにより編まれる滑り止め組織布１０のベース組織部編成用糸６，６・・・に対する滑り止め組織部編成用糸８，８・・・の混率は、本実施形態では、５０〜８０重量％含まれるので、１枚の滑り止め組織布１０であり、厚みが薄く軽量でも、一面がベース組織部７となし、他面が充分な滑り止め機能を発揮する滑り止め組織部９が編成された滑り止め組織布１０を得るためである。
【００３１】
そして、前記吸収部材装着片１１は、本実施形態では組付時において長手方向Ｔよりも幅方向Ｗの伸縮性が大きく配設されたことにより、生理用ショーツの装用時に、被着者が歩行したり、動いたするのに止まらずに就寝中においても生理用ショーツ自体が伸縮する場合でも、股下片４に対して吸収部材装着片１１が滑り止め機能を充分に発揮させるのと、吸収部材装着片１１自体が幅方向Ｗに充分に伸縮することにより吸収部材１２自体を確実に装着者の身体に密着するように保持して所定位置に装着する等の良好な装着性を確保することにより、吸収部材１２が不用意に個別にずれ動いたり、ねじれたりすることなく、しかも皺の発生を防止して経血等の体液を充分に吸収するためである。
【００３２】
１４Ａは胴部開口部１３の周囲に装設された例えば花柄、縞、幾何学模様等に編成された滑り止めレース地であり、この滑り止めレース地１４Ａはカバーリングされたポリウレタン繊維やゴム入紐等の伸縮性と滑り止め性を有する滑り止め糸が編成されることにより伸縮可能になり、被着者が生理用ショーツを装用した場合に生理用ショーツ自体の装飾性を高めるほか、ウエスト部の回りの身幅方向Ｙおよび身丈方向Ｘの滑り止め性を発揮する。
【００３３】
また、１４Ｂ，１４Ｂは前身頃片１において胴部開口部１３から左右の脇腹部、またレッグホール３Ａ，３Ｂの最上縁を斜めから横切って該レッグホール３Ａ，３Ｂの周囲に後身頃片２へと配設された滑り止めレース地であり、この滑り止めレース地１４Ｂ，１４Ｂは前記滑り止めレース地１４Ａと同様材料により形成され、被着者が生理用ショーツを装用した場合に、被着者が歩行したり、動いたりする場合はもちろん就寝中においてレッグホール３Ａ，３Ｂに挿入した下肢部に対するレッグホール３Ａ，３Ｂ回りのずれ動きやめくり上がりを防止するためのものである。
【００３４】
本発明の第１実施形態は以上の構成からなり、本実施形態の生理用ショーツを装用するには、先ず生理用ショーツ内にレッグ・ホール３Ａ  ，３Ｂ間に配した股下部４の裏面側に設けられている吸収部材装着片１１にナプキン１２Ａ、パッド等の吸収部材１２を着脱可能に装着する。
【００３５】
この吸収部材１２の装着法は、本実施形態の吸収部材装着片１１の左右の側縁部１１ｃ，１１ｄが、股下片４に非固定になして股下片４との間に間隙Ｋ，Ｋが形成されているので、吸収部材１２の左右両側にウィング１２ａ，１２ａを有するウィング付き形式の吸収部材１２を取付ける場合には、このウィング１２ａ，１２ａを吸収部材装着片１１の裏面側に対向して折り返し、該ウィング１２ａ，１２ａの背面に設けた粘着層Ｎを吸収部材装着片１１の裏面に粘着することにより、収納、固定する。
【００３６】
また、吸収部材１２の左右両側にウィング１２ａ，１２ａを有しない非ウィング形式の吸収部材１２を部材装着片１１に取付ける場合には、この吸収部材１２の裏面に設けた複数の粘着層Ｎを吸収部材装着片１１の表面に固定することにより、吸収部材１２を吸収部材装着片１１に着脱可能に固定することができる。
このようにして、図７，図８に示すようにウィング付き形式の吸収部材１２と、図９に示すように非ウィング形式の吸収部材１２との双方を単一の吸収部材装着片１１に脱落することなく構造堅牢に、かつ簡単な取り扱い操作により着脱可能に取付けることができる。
【００３７】
また、本実施形態の生理用ショーツでは、前述の吸収部材装着片１１が、合成繊維糸および／または天然繊維糸のベース組織部編成用糸６，６・・・により編成されるベース組織部７の片面に、伸縮性と滑り止め性を有するポリウレタン・フィラメント、または合成繊維糸に天然ゴムまたは合成ゴム等のゴムをデッピングしたものやゴムをコーティングするもの、さらにはゴム紐単体の何れかよりなる滑り止め組織部編成用縦糸８，８・・・を所望ウェル、所望コースに縦編みした滑り止め組織部９を編成した滑り止め組織布１０により形成されるので、生理用ショーツの装用時に、被着者が歩行したり、動いたする場合はもちろん、就寝中においてショーツ自体が伸縮しても、吸収部材装着片１１は、股下片４に対して滑り止め組織布１０の一面に編成された滑り止め組織部編成用糸８，８・・・の編目組織柄Ｇ１，Ｇ２により前後方向Ｆおよび左右方向Ｒの滑り止め機能は充分に発揮されるため、股下片４に対して常時、所定位置に維持されずれ動かない。
【００３８】
また、本施形態の吸収部材装着片１１自体は、ベース組織部７の片面に編成される滑り止め組織部９の滑り止め組織部編成用糸８，８・・・が、ポリウレタン・フィラメント、または合成繊維糸に天然ゴムまたは合成ゴム等のゴムをデッピングしたものやゴムをコーティングしたものを用いているので、滑り止め組織部編成用糸８，８・・・が充分な伸縮性を発揮することにより装着者に身体に対する所定位置に吸収部材１２を確実かつ弾性的に保持する。
【００３９】
この時、吸収部材装着片１１は、本実施形態では組付時において長手方向Ｔよりも幅方向Ｗの伸縮性が大きいものを配設したことにより、生理用ショーツの装用時に、被着者が歩行したり、動いたりするのに止まらずに、就寝中においても生理用ショーツ自体が伸縮する場合でも、股下片４に対して吸収部材装着片１１が接触して滑り止め機能を充分に発揮する。しかも、吸収部材装着片１１自体が充分に伸縮することにより吸収部材１２自体を下面側から確実に保持するため、装着者の身体に吸収部材１２は密着して所定位置に装着する等の良好な装着性を確保することにより、吸収部材１２が不用意に個別にずれ動いたり、ねじれたりすることなく、保持性と回復性が良好に発揮され、しかも皺の発生を防止する。
【００４０】
そして、本実施形態での吸収部材装着片１１に用いたベース組織部編成用糸６，６・・・の糸が、非弾性糸で２２〜５６（ＤＴ）であるのに対して滑り止め組織部編成用糸８，８・・・の糸が、弾性糸で４４〜４７０（ＤＴ）であり、しかも、ベース組織部編成用糸６，６・・・と滑り止め組織部編成用糸８，８・・・とにより編まれる滑り止め組織布１０よりなる吸収部材装着片１１のベース組織部編成用糸６，６・・・に対する滑り止め組織部編成用糸８，８・・・の混率が、５０〜８０重量％である。
【００４１】
このように、吸収部材装着片１１に用いる滑り止め組織部編成用糸８，８・・・の糸径を、ベース組織部編成用糸６，６・・・の糸径よりも太くしたのは、１枚の滑り止め組織布１０の一面（前述のように股下片４の防水布５に対向する裏面側）にウェル方向Ｕに所望ウェル、コース方向Ｃに所望コースに縦編みした滑り止め組織部９を片面に編成した滑り止め組織布１０の滑り止め組織部編成用糸８，８・・・が形成する編目組織柄Ｇ１，Ｇ２により吸収部材装着片１１は、股下片４に対して前後方向Ｆおよび左右方向Ｒに充分な滑り止め機能を発揮するようにし、滑り止め組織布１０の他面（例えば肌に密着する表面側）は、生地本来の風合い、例えば肌触わり、滑らかさ、しなやかさ、光沢などを発揮するとともに、滑り止め組織布１０は厚さが薄く軽量であり、さらには引っ張りや圧縮に対して充分な強度が発揮される。
【００４２】
また、吸収部材装着片１１は、前記股下片４の最小幅Ｌと略同幅乃至は該最小幅Ｌよりも小幅Ｌ１をなし、組付時における前身頃片１の上方の胴部開口部１３から股下片４の前端部４ａまでの設置高さｈは、１０ｃｍ程度であり、しかも、組付時における後身頃片２の上方の胴部開口部１３から股下片４の後端部４ｂまでの設置高さｈ′は、１８〜２０ｃｍ程度であるので、吸収部材１２は装着者の所定位置に密着して保持される。また、吸収部材１２は、吸収部材装着片１１に装着した時に股下片４から外部に露見する等の外観的な不体裁が防止される。
【００４３】
従って、経血等の体液が吸収部材１２に充分に吸収されて吸収性が良好になり、しかも、体液等の洩れ出しをなく、汚れがない清潔度が維持されるので、爽快に生理用ショーツを装用することができる。
【００４４】
また、ベース組織部７の片面に編成される滑り止め組織部９の滑り止め組織部編成用糸８，８・・・が、充分な伸縮性を発揮するのと、ベース組織部７が引っ張り、曲げ、圧縮等の強度を発揮するので、変形や形崩れがなく、耐久性に優れる。
しかも、本実施形態の吸収部材装着片１１は、１枚の滑り止め組織布１０でありながらベース組織部７の片面に合成繊維糸および／または天然繊維糸のベース組織部編成用糸６，６・・・により編成され、他面に、滑り止め組織部編成用糸８，８・・・を縦編みした滑り止め組織部９を編成したので、通気性、発汗性が良好でむれやかゆみを生ずることなく、軽量である。
【００４５】
また、股下片４、前身頃片１、後身頃片２は前述のような特定な大きさ、配置に組み付けられ、しかも吸収部材装着片１１は、前端部１１ａが股下片４の前端部４ａと一緒に前身頃片１に対して縫着される等して接合されるとともに後端部１１ｂが股下片４の後端部４ｂと一緒に後身頃片２に対して縫着して接合されるので、股下片４および吸収部材装着片１１の前身頃片１および後身頃片２に対する組み付け作業が容易かつ確実に行われて製作が効率化される。
【００４６】
図１０に示すものは本発明の生理用ショーツの第２の実施形態である。
この実施形態では、吸収部材装着片１１は、前端部１１ａが少なくとも股下片４の前端部４ａと一緒に前記前身頃片１に対して縫着され、左右の側縁部１１ｃ，１１ｄは股下片４に対して非固定とすることにより吸収部材１２の左右両側に設けるウィング１２ａ，１２ａを左右から裏面側に対向して折り返して収納、固定させる間隙Ｋ，Ｋを形成した点が前記第１実施形態とは異なる構成であり、前記第１実施形態の生理用ショーツよりも製作上での組み付け作業を簡略化したほかは前記第１実施形態と同様の構成、作用である。
【００４７】
また、図１１に示すものは本発明の生理用ショーツの第３の実施形態である。この実施形態では、経血量が多い場合や就寝する場合に最適に使用するものであり、吸収部材装着片１１は、前端部１１ａが股下片４の前端部４ａと一緒に前身頃片１に対して縫着されるとともに後端部１１ｂが前記後身頃片２の胴部開口部１３にまで延長する前記防水布５の後端部近くに縫着され、左右の側縁部１１ｃ，１１ｄは前記股下片４に非固定とすることにより吸収部材１２の左右両側に設けるウィング１２ａ，１２ａを左右から裏面側に対向して折り返して収納、固定させる間隙Ｋ，Ｋを形成した構成であり、吸収部材装着片１１に大面積の吸収部材１２を着脱可能に装着することにより、吸収部材１２により経血等の体液の吸収を高めるとともに洩れ出しを確実に防止するようにしたほかは、前記第１実施形態と同様の構成、作用である。
【００４８】
図１２に示すものは本発明の生理用ショーツの第４実施形態である。
この実施形態では、前記滑り止め組織布１０の一面側に編成される滑り止め組織部９を生理用ショーツの表面側にして前身頃片１または後身頃片２の適宜個所に、図示ではショーツの後身頃片２に側面部から臀部にわたり背面略Ｕ字形に配設したことにより滑り止め組織布１０の滑り止め組織部編成用縦糸８，８・・・の伸縮性により生理用ショーツの装用時のずれ動きを防止するとともにヒップアップをはかるようにし、しかも生理用ショーツに従来の上履きの重ね履きをするか、または重ね履きをしない場合に、滑り止め組織部９の編目組織柄Ｇ１，Ｇ２の滑り止め機能により生理用ショーツおよび吸収部材装着片１１に装着した吸収部材１２が、上履きまたはスリップ等に対して前後方向Ｆおよび左右方向Ｒにずれ動くのを防止して経血等の吸収性と洩れ出しを防止するようにしたほかは前記第１実施形態ないし前記第３実施形態と同様の構成、作用である。
【００４９】
また、本発明の図示する前記第１実施形態、第２実施形態、第３実施形態、第４実施形態に示す各生理用ショーツは、ナプキン１２Ａ等の吸収部材１２に対する吸収部材装着片１１の滑り止め機能と優れた保持性により不用意なずれ動き等を防止して所定位置での装着性を発揮するとともに経血等の体液の洩れ出しを防止し、また通気性、発汗性が良好でむれやかゆみを生ぜず、しかもソフトな肌触りで軽量であり、さらには生理用ショーツは、短いレッグホール３Ａ，３Ｂを有するパンツ形式であるので、上面に従来の上履きの重ね履きが容易に行え、憂鬱な日々を爽快に過ごすことができる。
【００５０】
【発明の効果】
本発明の請求項１に記載の発明は以上のように、前身頃片と、後身頃片と、両肢を挿入可能なレッグホール間の股下域に配置される小幅の股下片とが前記前身頃片または後身頃片に接合され、該股下片の裏面には撥水性素材にて形成される防水布を重合、固定したショーツ形式の生理用ショーツにおいて、合成繊維糸および／または天然繊維糸のベース組織部編成用糸により編成されるベース組織部の片面に、伸縮性と滑り止め性を有する滑り止め組織部編成用糸を所望ウェル、所望コースに縦編みした滑り止め組織部を片面に編成した滑り止め組織布により形成され、前記股下片の最小幅と略同幅乃至は該最小幅よりも小幅をなす吸収部材装着片を前記防水布に対して少なくとも対向面に前記滑り止め組織部を配設し、吸収部材装着片の他面にナプキンを着脱可能に取付けることを特徴とし、また本発明の請求項９に記載の発明は、請求項１，請求項２，請求項３，請求項４，請求項５，請求項６，請求項７，請求項８の何れかにおいて、滑り止め組織部編成用糸は、ポリウレタン・フィラメント、または合成繊維糸に天然ゴムまたは合成ゴム等のゴムをデッピングしたものやゴムをコーティングするもの、さらにはゴム紐単体の何れかが用いられることを特徴とするので、被着者が歩行したり、動いたするのに止まらずに就寝中においてもショーツ自体が伸縮性を発揮する場合でも、股下片に対する吸収部材の滑り止め機能と保持性が優れて所定位置での装着性が良好になり、以て吸収部材の不用意なずれ動き、ねじれ、皺の発生を防止して吸収部材による経血等の体液の吸収性を充分になし、体液の洩れ出しがなく清潔度を維持し、また通気性、発汗性が良好でむれやかゆみを生ずることなく、またソフトな肌触りで軽量であり、しかも保温性、回復性、強度、耐久性に優れ、さらには非ウィング形式またはウィング付き形式の双方の吸収部材が簡単かつ確実に着脱が行え、取り扱いも簡便に行える。
【００５１】
また、本発明の請求項２に記載の発明は、請求項１において、前記吸収部材装着片は、前端部が少なくとも前記股下片の前端部と一緒に前記前身頃片に対して縫着され、左右の側縁部は前記股下片に対して非固定とすることにより吸収部材の左右両側に設けるウィングを左右から裏面側に対向して折り返して収納、固定させる間隙を形成したことを特徴とし、また、本発明の請求項３に記載の発明は、請求項１において、前記吸収部材装着片は、前端部が前記股下片の前端部と一緒に前記前身頃片に対して縫着されるとともに後端部が前記股下片の後端部と一緒に前記後身頃片に対して縫着され、左右の側縁部は前記股下片に対して非固定とすることにより吸収部材の左右両側に設けるウィングを左右から裏面側に対向して折り返して収納、固定させる間隙を形成したことを特徴とするので、股下片および吸収部材装着片の前身頃片および後身頃片に対する組み付け作業が容易かつ確実に行われて製作が効率化される。
【００５２】
また、本発明の請求項４に記載の発明は、請求項１において、前記吸収部材装着片は、前端部が前記股下片の前端部と一緒に前記前身頃片に対して縫着されるとともに後端部が前記後身頃片の胴部開口部にまで延長する前記防水布の後端部近くに縫着され、左右の側縁部は前記股下片に対して非固定とすることにより吸収部材の左右両側に設けるウィングを左右から裏面側に対向して折り返して収納、固定させる間隙を形成したことを特徴とするので、経血量等の体液の排出量が多い場合や就寝する場合に最適に使用され、股下片および吸収部材装着片の前身頃片および後身頃片に対する組み付け作業が容易かつ確実に行われて製作が効率化される。
【００５３】
また、本発明の請求項５に記載の発明は、請求項１，請求項２，請求項３，請求項４の何れかにおいて、前記吸収部材装着片は、長手方向よりも幅方向の伸縮性が大きく形成されることを特徴とするので、被着者が歩行したり、動いたするのに止まらずに就寝中においてもショーツ自体が伸縮する場合でも、吸収部材装着片が充分に伸縮することにより吸収部材自体を確実に保持して所定位置に装着する等の良好な装着性を確保することができるため、吸収部材が不用意に個別に前後方向または左右方向にずれ動いたり、ねじれたりすることなく、保持性と回復性が良好に発揮され、しかも皺の発生を防止することができ、吸収部材の経血等の体液の吸収性の向上がはかれる。
【００５４】
また、本発明の請求項６に記載の発明は、請求項１，請求項２，請求項３，請求項４，請求項５の何れかにおいて、前記ベース組織部編成用糸の糸が、非弾性糸で２２〜５６（ＤＴ）であるのに対して滑り止め組織部編成用糸の糸が、弾性糸で４４〜４７０（ＤＴ）であることを特徴とするので、１枚の組織布であっても、一面（表面側）は生地本来の風合いを発揮し、また、単一の１枚の組織布の他面（裏面側）に編成されたポリウレタン糸等よりなる所望図柄の滑り止め組織部により滑り止め機能が確実に発揮することができる。
【００５５】
また、本発明の請求項７に記載の発明は、請求項１，請求項２，請求項３，請求項４，請求項５，請求項６の何れかにおいて、前記ベース組織部編成用糸と滑り止め組織部編成用糸とにより編まれる滑り止め組織布よりなる吸収部材装着片のベース組織部編成用糸に対する滑り止め組織部編成用糸の混率が、５０〜８０重量％であることを特徴するので、１枚の組織布として軽量でありながら強度がある。
【００５６】
また、本発明の請求項８に記載の発明は、請求項１，請求項２，請求項３，請求項４，請求項５，請求項６，請求項７の何れかにおいて、前記ベース組織部編成用糸は、ポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１または２種の組み合わせにより形成されることを特徴とするので、吸収部材装着片を形成する場合に、その１枚の滑り止め組織布の一面に編成される滑り止め組織部により充分な滑り止め機能を発揮することができるとともにこの滑り止め組織部が編成される他面のベース組織部により生地本来の風合い、例えば肌触わり、滑らかさ、しなやかさ、光沢などを発揮することができるとともに、吸収部材装着片自体、厚さが薄く、軽量になり、しかも引っ張りや圧縮に対して充分な強度を発揮することができる。
【００５７】
また、本発明の請求項１０に記載の発明は、請求項１，請求項２，請求項３，請求項４，請求項５，請求項６，請求項７，請求項８，請求項９の何れかにおいて、前記滑り止め組織布は、前記吸収部材装着片を形成するのに用いるほか、該滑り止め組織布の一面側に編成される滑り止め組織部を表面側にしてショーツの前身頃または後身頃の適宜個所に配設したことを特徴とするので、滑り止め組織布の滑り止め組織部編成用縦糸の伸縮性により装用時のずれ動きを防止するとともにヒップアップをはかるようになし、しかも従来の上履きの重ね履きをするか、または重ね履きをしない場合に、滑り止め組織部の組織柄の滑り止め機能によりショーツが、上履きまたはスリップ等に対して前後方向および左右方向にずれ動くのを防止することができる。
【図面の簡単な説明】
【図１】図１は本発明の生理用ショーツの第１実施形態を示す正面図である。
【図２】図２は同じく背面図である。
【図３】図３は同じく斜視図である。
【図４】図４は同じく右側面図である。
【図５】図５は本実施形態を構成する股下片と、吸収部材装着片と、吸収部材との配置関係を示す斜視図である。
【図６】図６は本実施形態に用いる滑り止め組織布を示す組織図である。
【図７】図７はウィング付き形式の吸収部材としてのナプキンを示す一部切欠拡大平面図である。
【図８】図８は同じく縦拡大断面図である。
【図９】図９は非ウィング形式の吸収部材としてのナプキンを示す一部切欠拡大平面図である。
【図１０】図１０に示すものは本発明の生理用ショーツの第２の実施形態を示す斜視図である。
【図１１】図１１は同じく本発明の第３実施形態を示す斜視図である。
【図１２】図１２は同じく本発明の第４実施形態を示す背面図である。
【符号の説明】
１      前身頃片
２      後身頃片
３Ａ    レッグホール
３Ｂ    レッグホール
４      股下片
５      防水布
６      ベース組織部編成用糸
７      ベース組織部
８      滑り止め組織部編成用糸
９      滑り止め組織部
１０    滑り止め組織布
１１    吸収部材装着片
１２    吸収部材
１２Ａ  ナプキン
１３    胴部開口部
Ｆ      前後方向
Ｒ      左右方向
Ｔ      長手方向
Ｗ      幅方向
Ｘ      身丈方向
Ｙ      身幅方向
【図１】
2004329272.tif 000003
【図２】
2004329272.tif 000004
【図３】
2004329272.tif 000005
【図４】
2004329272.tif 000006
【図５】
2004329272.tif 000007
【図６】
2004329272.tif 000008
【図７】
2004329272.tif 000009
【図８】
2004329272.tif 000010
【図９】
2004329272.tif 000011
【図１０】
2004329272.tif 000012
【図１１】
2004329272.tif 000013
【図１２】
2004329272.tif 000014